(57)【特許請求の範囲】
【請求項１】
粒子放出装置からの放出粒子の種類に対応して複数のキャラクタの中から表示部において表示する表示キャラクタを割り当てておき、取得された前記放出粒子の種類に応じて前記キャラクタから対応する前記表示キャラクタを指定し、取得された前記放出粒子の放出量及び放出方向にそれぞれに対応して前記表示キャラクタの表示態様を定めることから成り、前記表示キャラクタの前記表示態様は、前記放出粒子の前記放出量については量に応じて指定される前記表示キャラクタの大きさであり、前記放出粒子の前記放出方向については前記表示キャラクタの前記表示部における移動方向であることから成る粒子放出装置における放出粒子特性表示方法。
【請求項２】
前記表示部における前記表示キャラクタは、一つの面がハーフミラーで構成された多面体万華鏡内に前記ハーフミラーを通して導入されることで、前記多面体万華鏡においてイリュージョン的表示で表示されることから成る請求項１に記載の粒子放出装置における放出粒子特性表示方法。
【請求項３】
粒子放出装置からの放出粒子の種類に対応して表示部において表示する表示キャラクタを割り当てる表示キャラクタ割当手段、取得された前記放出粒子の種類に応じて対応する前記表示キャラクタを指定する表示キャラクタ指定手段、及び取得された前記放出粒子の放出量及び放出方向にそれぞれに対応して前記表示キャラクタの表示態様を定めるキャラクタ表示態様決定手段を備え、前記表示キャラクタの前記表示態様は、前記放出粒子の前記放出量については量に応じて指定される前記表示キャラクタの大きさであり、前記放出粒子の前記放出方向については前記表示キャラクタの前記表示部における移動方向であることから成る粒子放出装置における放出粒子特性表示装置。
【請求項４】
前記表示部は、一つの面がハーフミラーで構成されており、前記ハーフミラーを通して内部に導入された前記表示キャラクタをイリュージョン的に変換して表示をする多面体万華鏡であることから成る請求項３に記載の粒子放出装置における放出粒子特性表示装置。
【発明の詳細な説明】
【技術分野】
【０００１】
この発明は、正負のイオンを放出する空気清浄機等の粒子放出装置からの放出粒子の特性を表示する方法及び装置に関する。
【背景技術】
【０００２】
近年、空気清浄機、エアコン、冷蔵庫等の家電機器は、正負イオンを発生させて当該正負イオンを周囲環境に放出するプラズマイオン発生装置を内蔵形式などにより装備し始めている。空気清浄機やエアコンの場合には、プラズマイオン発生装置は、周囲環境として居住者が居る室内空間に正負イオンを放出して、室内空気の塵埃を除去する清浄作用、或いはカビや細菌、ウイルス等の殺菌作用を発揮して、生活者環境の向上を図っている。
【０００３】
一方、自動車、飛行機、船舶等などの燃料を燃焼消費する機械・装置では、動力源から排気ガスとして二酸化炭素や二酸化炭素等の二次的な副産物としての粒子が発生し周囲環境に放出される。こうした、発生粒子は、周囲環境にとっては一般的にマイナスであり、放出量の削減のみならず、発生そのものの防止が望まれている。
【０００４】
周囲環境に放出される状態を容易に識別可能にするものの一例として、誘電体バリア放電ランプと、その電源装置と、誘電体バリア放電ランプから放射される２００ｎｍ以上の波長の光を検出する検出手段と、予め設定した値と検出手段で検出した２００ｎｍ以上の波長の光の強度の値と比較する比較手段と、検出手段で検出した２００ｎｍ以上の波長の光の強度が予め設定した値以下の場合にその状態を表示する表示手段とを備えた誘電体バリア放電ランプ装置が提案されている（特許文献１）。この誘電体バリア放電ランプ装置によれば、可視光でない真空紫外光を主に放出する誘電体バリア放電ランプが点灯状態にあるのを容易に識別可能としている。
【特許文献１】特開平８−９６７６９号公報（段落［００３８］〜［００３９］、図１）
【０００５】
本出願人は、既に、液晶表示装置やプラズマ表示装置、有機ＥＬ表示装置等のフラットパネル表示装置を含む表示装置であって、正イオン又は負イオンを発生させるイオン発生装置を設けた表示装置を提案している（特許文献２）。正イオン及び負イオンの働きにより、表示面及び表示装置の周囲の空気中の微生物（細菌、真菌及びウイルス等）を死滅させる、或いはまた有害な有機物質（悪臭のもと及び環境ホルモン等）を分解・除去することを図っている。
【特許文献２】特開２００３−２８４７６６号公報（段落［００３６］、図１）
【発明の開示】
【発明が解決しようとする課題】
【０００６】
しかしながら、上記家電機器に組み込まれるイオン発生装置から放出されるイオン粒子や、上記機械の動力源から放出される燃焼生成粒子は不可視な物質であるので、上記装置や機械から放出される粒子の（ａ）種類、（ｂ）量、及び（ｃ）放出方向を知ることができない。
また、従来は、粒子を放出する装置又は機械と、粒子の量を測定する測定器とが独立して存在しているので、装置又は機械に対して別途用意した測定器を配置する必要があるなど、装置全体が大掛かりになるとともに、高コストを免れない。測定器が設けられるが、測定器は粒子量を測定できるのみであり、上記の粒子の（ａ）種類、（ｂ）量、及び（ｃ）放出方向を一括して測定することはできない。
更に、上記装置や機械から放出される粒子の（ａ）種類、（ｂ）量、及び（ｃ）放出方向を感覚的に且つ瞬間に把握する手段というものは何ら用意されていない。
【０００７】
そこで、粒子を放出する機械、装置について、粒子の放出の態様を直感的に表示可能とする点で解決すべき課題がある。
【課題を解決するための手段】
【０００８】
この発明の目的は、上記装置や機械から放出される粒子の種類、放出量及び放出方向を、一括して、瞬間的に且つ感覚的に把握可能な、粒子放出装置からの放出粒子表示を提供することである。
【０００９】
上記の課題を解決するため、この発明による粒子放出装置における放出粒子特性表示方法は、粒子放出装置からの放出粒子の種類に対応して複数のキャラクタの中から表示部において表示する表示キャラクタを割り当てておき、取得された前記放出粒子の種類に応じて前記キャラクタから対応する前記表示キャラクタを指定し、取得された前記放出粒子の放出量及び放出方向にそれぞれに対応して前記表示キャラクタの表示態様を定めることから成っている。また、前記表示キャラクタの前記表示態様は、前記放出粒子の前記放出量については量に応じて指定される前記表示キャラクタの大きさであり、前記放出粒子の前記放出方向については前記表示キャラクタの前記表示部における移動方向とされている。放出粒子の放出量、好ましくは単位時間当たりの放出量を表示キャラクタの大きさで表すことは、人が直感的に把握するところと合致している。また、放出粒子の放出方向を、表示キャラクタの表示部における移動方向で表すことも、人が直感的に把握するところと合致している。このように、表示キャラクタの表示部での表示の仕方を、放出量や放出方向に対して、自然な対応関係で関係付けることができる。
【００１０】
この粒子放出装置における放出粒子特性表示方法によれば、粒子放出装置からの放出粒子の種類に対応して、複数のキャラクタの中から表示部において表示する表示キャラクタが予め割り当てられている。取得された放出粒子の種類に応じて、キャラクタから対応する表示キャラクタが指定され、取得された放出粒子の放出量及び放出方向にそれぞれに対応して表示キャラクタの表示態様が定められる。したがって、表示部に表示されている表示キャラクタの種類と表示態様を見れば、放出粒子の種類と、放出量や放出方向等の放出態様を瞬間的に且つ感覚的に認識し把握することができる。
【００１１】
上記粒子放出装置における放出粒子特性表示方法において、前記表示部における前記表示キャラクタの表示を、定性的表示であるイリュージョン的表示をすることができる。表示キャラクタの表示をイリュージョン的表示とすることにより、見る者の注意を引きつけるとともに、どこでもあり得るような単調な表示ではなく、ありきたりでない幻想的或いは魅力的な表示を行うことができる。ただし、イリュージョン的表示は、量的に正確な表示とするには難しいので、定性的表示となる。
【００１２】
イリュージョン的表示を行う上記粒子放出装置における放出粒子特性表示方法において、前記イリュージョン的表示は、一つの面がハーフミラーで構成された多面体万華鏡での表示とすることができる。多面体万華鏡でキャラクタを表示することにより、反射を繰り返して複雑で且つ幻想的な表示を得ることができる。
【００１４】
この発明による粒子放出装置における放出粒子特性表示装置は、粒子放出装置からの放出粒子の種類に対応して表示部において表示する表示キャラクタを割り当てる表示キャラクタ割当手段、取得された前記放出粒子の種類に応じて対応する前記表示キャラクタを指定する表示キャラクタ指定手段、及び取得された前記放出粒子の放出量及び放出方向にそれぞれに対応して前記表示キャラクタの表示態様を定めるキャラクタ表示態様決定手段を備えることから成っている。また、前記表示キャラクタの前記表示態様は、前記放出粒子の前記放出量については量に応じて指定される前記表示キャラクタの大きさであり、前記放出粒子の前記放出方向については前記表示キャラクタの前記表示部における移動方向とされている。放出粒子の放出量、好ましくは単位時間当たりの放出量を表示キャラクタの大きさで表し、放出粒子の放出方向を表示キャラクタの表示部における移動方向で表すことは、いずれも人が直感的に把握するところと合致しており、両者を自然な対応関係で関係付けることができる。
【００１５】
この粒子放出装置における放出粒子特性表示装置によれば、表示キャラクタ割当手段が、粒子放出装置からの放出粒子の種類に対応して、複数のキャラクタの中から表示部において表示する表示キャラクタが予め割り当てる。表示キャラクタ指定手段は、取得された放出粒子の種類に応じて、キャラクタから対応する表示キャラクタを指定する。更に、キャラクタ表示態様決定手段は、取得された放出粒子の放出量及び放出方向にそれぞれに対応して表示キャラクタの表示態様を定める。したがって、表示部に表示されている表示キャラクタの種類と表示態様を見れば、放出粒子の種類と、放出量や放出方向等の放出態様を瞬間的に且つ感覚的に認識し把握することができる。
【００１６】
上記粒子放出装置における放出粒子特性表示装置において、前記キャラクタ表示態様決定手段及び前記表示部は、前記表示キャラクタの表示をイリュージョン的に変換して表示をするイリュージョン変換表示手段とすることができる。表示キャラクタの表示をイリュージョン的表示とすることにより、見る者の注意を引きつけるとともに、どこでもあり得るような単調な表示ではなく、ありきたりでない幻想的或いは魅力的な表示を行うことができる。
【００１７】
イリュージョン表示変換手段を備える上記放出粒子特性表示装置において、前記イリュージョン変換表示手段は、一つの面がハーフミラーで構成された多面体万華鏡で構成することができる。多面体万華鏡でキャラクタを表示することにより、反射を繰り返して複雑で且つ幻想的な表示を得ることができる。
【発明の効果】
【００１９】
この発明による粒子放出装置における放出粒子特性表示方法及び装置は、上記のように構成されているので、放出粒子の種類、放出量及び放出方向が、表示部における表示キャラクタの種類、並びにその大きさ及び移動方向から成る表示態様によって表され、上記装置・機械の使用者はもとより非使用者も、その装置・機械が放出する不可視的粒子の種類、放出量及び放出方向を可視化した形で認識することができる。可視化することにより、周囲環境にプラス又はマイナスになっている状況を、上記装置・機械の使用者はもとより非使用者も、リアルタイムで把握することができる。更に、放出粒子をイリュージョン的（定性的）且つ視覚的に把握することができるので、従来関心がない層にも興味を持ってもらうこと、注目してもらうことができる。
【発明を実施するための最良の形態】
【００２０】
以下、添付した図面に基づいて、この発明による粒子放出装置における放出粒子特性表示方法及び装置の実施例を説明する。図１〜図３は放出粒子特性表示装置の要部の一例を示す図である。図１〜図３に示す放出粒子特性表示装置は、万華鏡の構造として構成されており、図１はその正面斜め図、図２は側面図、図３は光学系を示している。表示装置は、例えば三枚のミラーを三角柱状に組み合わせた万華鏡のように、ミラー１，２と、ハーフミラー３とを三角柱状の各側面を占めるように配置したものであり、ハーフミラー３の外側にはハーフミラー３に沿って液晶表示部４が配置されている。液晶表示部４を透過した光がハーフミラー３を透過して液晶パネルに表示された表示キャラクタの状態を確認することができる。図３は、図１及び図２に示す装置と同等の装置であり、液晶表示部４が、ハーフミラー３に沿うのに代えて、反射ミラー５とレンズ６とから成る光学系で構成されている例を示している。
【００２１】
図４〜図５は、この発明による粒子放出装置における放出粒子特性表示方法及び装置の別の実施例を示す図である。図４はその正面斜め図、図５は光学系を示している。ミラー１，２と、ハーフミラー３とを三角柱状の各側面を占めるように配置したものである点で、先の実施例と異なるところはない。ハーフミラー３の上面にはホログラム１０が貼着されており、一方、光学系は、再生用光源１４からの光は、レンズ１３で焦点合わせが行われ、光は更に回転軸１２の回りに回動可能なポリゴンミラー１１の面上で反射して万華鏡内に導入される。
【００２２】
図６は、表示部での表示例を示す図であり、イオン発生装置から放出される正負のイオン、或いは排気ガス粒子のような放出粒子の種類が、表示部における表示キャラクタの種類によって表され、放出粒子の放出量及び放出方向は、例えば、表示キャラクタの表示態様によって表される。図６に示す表示キャラクタで、一つの放出粒子の種類が表され、放出粒子の放出量は、表示キャラクタ２０の最大キャラクタによって表すことができる。放出粒子の放出方向は、一連の表示キャラクタの流れる方向によって表すことが可能であり、図示の例では、放出方向を含む所定の角度範囲のみ、中央から外側に向かって小さい表示キャラクタ２０ａから、途中の表示キャラクタ２０ｂ，２０ｃを経て、最大の表示キャラクタ２０ｄに流れとして、順次拡大表示をさせることができる。放出粒子の放出速度についても、表示キャラクタの移動速度で表示可能である。
【００２３】
このように、上記装置・機械の使用者はもとより非使用者も、その装置・機械が放出する不可視的粒子の種類、放出量及び放出方向を可視化した形で認識することができる。可視化することにより、周囲環境の状況を、上記装置・機械の使用者はもとより非使用者も、リアルタイムで把握することができる。更に、放出粒子の種類及び特性は、図６に示すように、万華鏡によってイリュージョン的（定性的）且つ視覚的に把握することができるので、従来関心がない層にも興味を持ってもらうこと、注目を引きつける効果がある。
【００２４】
図７は、この発明による装粒子放出装置における放出粒子特性表示装置のブロック図である。図７に示すように、放出粒子特性表示装置３０は、粒子放出装置３１からの放出粒子の種類に対応して表示部３５において表示する表示キャラクタを割り当てる表示キャラクタ割当手段３２、取得された放出粒子の種類に応じて対応する表示キャラクタを指定する表示キャラクタ指定手段３３、及び取得された放出粒子の放出量及び放出方向にそれぞれに対応して表示キャラクタの表示態様を定めるキャラクタ表示態様決定手段３４を備えている。
【００２５】
より詳細には、放出粒子特性表示装置３０の表示キャラクタ割当手段３２に関して、入力手段３６の操作によって、放出粒子の種類に対応して表示部３５において表示する表示キャラクタを割り当てることができる。なお、予め、デフォルトとして割当をしておき、入力手段３６によってその割当を変更可能にしてもよい。割り当てられた放出粒子の種類と表示キャラクタとの対応関係は、割当テーブル３７に記憶させることができる。
【００２６】
表示キャラクタ指定手段３３に関連して、粒子放出装置３１における放出粒子の設定又はセンサ検出により、放出粒子種類取得手段３８が放出粒子の種類を取得し、取得された放出粒子の種類の情報が表示キャラクタ指定手段３３に入力される。表示キャラクタ指定手段３３は、その放出粒子の種類の情報に基づいて、割当テーブル３７から、対応する表示キャラクタを指定する。
【００２７】
キャラクタ表示態様決定手段３４に関連して、粒子放出装置３１における放出粒子態様の設定又はセンサ検出により、放出態様取得手段３９が放出粒子の放出量や放出方向のような放出態様を取得し、取得された放出態様の情報がキャラクタ表示態様決定手段３４に入力される。
【００２８】
表示キャラクタ指定手段３３からの指定表示キャラクタについての情報と、キャラクタ表示態様決定手段３４からの放出粒子の放出態様についての情報とは表示制御手段４０に入力される。表示制御手段４０は、両情報に則した態様で、表示部３５に表示キャラクタを表示するための制御信号を発生する。表示制御手段４０は、具体的には、図１〜図３、及び図４〜図５の光学系の作動を制御する。したがって、表示部３５には、取得された放出粒子の種類並びに放出量及び放出方向のような放出態様に対応して、指定された表示キャラクタが当該放出態様に従った表示態様で表示される。その結果、ユーザを初めとして、粒子放出装置の関係者は、表示部３５に表示されている表示キャラクタの種類と表示態様を見れば、放出粒子の種類と、放出量や放出方向等の放出態様を瞬間的に且つ感覚的に認識し把握することができる。
【００２９】
キャラクタ表示態様決定手段３４、表示制御手段４０及び表示部３５は、ユニットとして、表示キャラクタをイリュージョン的に表示するイリュージョン表示変換手段４１とすることもできる。表示部３５は表示キャラクタをイリュージョン的に表示することにより、見る者の注意を引きつけるとともに、放出粒子の放出特性が幻想的或いは魅力的に表示される。表示部３５は、図１〜図３又は図４〜図５に示すように、一つの面がハーフミラーで構成された多面体万華鏡で構成することができる。多面体万華鏡でキャラクタを表示することにより、反射を繰り返して複雑で且つ幻想的な表示を得ることができる。
【図面の簡単な説明】
【００３０】
【図１】この発明による粒子放出装置における放出粒子特性表示の一実施例を示す図であって、要部の正面斜め図である。
【図２】図１に示す装置の側面図である。
【図３】図１に示す装置の光学系を示す図である。
【図４】この発明による粒子放出装置における放出粒子特性表示の別の実施例を示す正面斜め図である。
【図５】図４に示す実施例の光学系を示す図である。
【図６】表示部におけるキャラクタ表示の一例を示す図である。
【図７】この発明による粒子放出装置における放出粒子特性表示装置のブロック図である。
【符号の説明】
【００３１】
１，２  ミラー                      ３  ハーフミラー
４  液晶表示部                      ５  反射ミラー
６  レンズ
１０  ホログラム                    １１  ポリゴンミラー
１２  回転軸                        １３  レンズ
１４  再生用光源
２０，２０ａ，２０ｂ，２０ｃ  表示キャラクタ
３０  放出粒子特性表示装置          ３１  粒子放出装置
３２  表示キャラクタ割当手段        ３３  表示キャラクタ指定手段
３４  キャラクタ表示態様決定手段    ３５  表示部
３６  入力手段                      ３７  割当テーブル
３８  放出粒子種類取得手段          ３９  放出態様取得手段
４０  表示制御手段                  ４１  イリュージョン表示変換手段
【図１】
0004712543.tif 000002
【図２】
0004712543.tif 000003
【図３】
0004712543.tif 000004
【図４】
0004712543.tif 000005
【図５】
0004712543.tif 000006
【図６】
0004712543.tif 000007
【図７】
0004712543.tif 000008